(57)【特許請求の範囲】
【請求項１】
吸収層及び防漏層を有し、小型吸収パッドと組み合わせて用いられる下層吸収パッドであって、
前記吸収層の肌当接面側の平面方向中央部に、その周辺部よりも厚み方向に凹んだ、前記小型吸収パッドの載置用の載置用凹部が形成されており、
前記載置用凹部は、平面視で、それに載置された前記小型吸収パッドを包含する形状を有しており、長手方向及び／又は幅方向に該小型吸収パッドの１．１倍以上大きくなされている下層吸収パッド。
【請求項２】
平面視において、前記載置用凹部の幅は、前記小型吸収パッドの幅の１．１〜１．８倍である請求項１記載の下層吸収パッド。
【請求項３】
前記載置用凹部の深さは、前記小型吸収パッドの周縁部の厚みよりも大きくなっている請求項１又は２に記載の下層吸収パッド。
【請求項４】
平面視において、前記載置用凹部の長さは、前記小型吸収パッドの長さの１．３〜２．３倍である請求項１〜３の何れかに記載の下層吸収パッド。
【請求項５】
前記載置用凹部は、平面視で幅方向よりも長手方向に長い形状を有している請求項１〜４の何れかに記載の下層吸収パッド。
【請求項６】
前記載置用凹部の底面中央部は、底面周辺部よりも、前記吸収層の肌当接面側の前記周辺部を超えない範囲で隆起し、中洲状凸部を形成している請求項１〜５の何れかに記載の下層吸収パッド。
【請求項７】
前記吸収層の肌当接面側は、液透過性の表面シートから形成されており、該表面シートにおける前記載置用凹部の底面周辺部及び／又は側面を形成する領域に、通液用開孔が設けられている請求項１〜６の何れかに記載の下層吸収パッド。
【請求項８】
前記吸収層は、その肌当接面側が液透過性の表面シートから形成されており、該表面シートの非肌当接面側に液保持性の吸収体が配設されており、
前記載置用凹部の底面周辺部及び／又は側面には、前記表面シートから前記吸収体に向けて凹む通液用凹みが形成されている請求項１〜７の何れかに記載の下層吸収パッド。
【請求項９】
請求項１〜８の何れかに記載の前記下層吸収パッドと、前記小型吸収パッドとからなる吸収性物品。
【発明の詳細な説明】
【技術分野】
【０００１】
本発明は、吸収層及び防漏層を有し、小型吸収パッドと組み合わせて用いられる下層吸収パッドに関する。
【背景技術】
【０００２】
生理用ナプキン等の吸収性物品において、そのフィット性、漏れ防止性、吸収容量等を高める目的で、肌当接面側の中央部を盛り上げた形状の吸収性物品が種々提案されている。また、この種の吸収性物品とは別に、小型吸収パッドを使用者の排泄部に当接するように装着することで、同様の効果を図る提案もなされており、例えば、陰唇間に挟み込んで保持されるタイプのいわゆる陰唇間パッドが知られている（特許文献１参照）。
【０００３】
陰唇間パッドは、単独でも使用可能であるが、生理用ナプキンと併用される場合も多く、その便宜のため、非肌当接面側に粘着剤を塗工し、この粘着剤の粘着力により、生理用ナプキンの肌当接面側に固定して使用できるようにした小型吸収パッドが知られている（特許文献２参照）。
【０００４】
このような生理用ナプキンと陰唇間パッドとの組み合わせにおいては、例えば、（１）陰唇間パッドを陰唇間に挟み込み、生理用ナプキンをショーツの股下部に止着し、その状態でショーツを着用することで、陰唇間パッドを粘着剤により生理用ナプキンの肌当接面側に固定させる装着手順や、（２）陰唇間パッドを粘着剤により下層吸収パッドの肌当接面側に固定させた後、下層吸収パッドをショーツの股下部に止着し、その状態でショーツを着用することで、陰唇間パッドを陰唇間に挟み込む装着手順が採られる。
【０００５】
また、２種の生理用ナプキンを組み合せて使用するため、上部に設置するナプキンの形状に合わせた凹面部を持つ下部ナプキンが知られている（特許文献３参照）。
このように上部および下部に設置するナプキンを組み合わせて使用する生理用ナプキンでは、当初よりナプキンをショーツに取り付けるため、凹面部の形状に合わせて、上部ナプキンを凹面部内に固定する。
【０００６】
【特許文献１】国際公開第２００２／０９４１５０号パンフレット
【特許文献２】特開２００３−３８５６４号公報
【特許文献３】特開平５−４９６６０号公報
【発明の開示】
【発明が解決しようとする課題】
【０００７】
しかし、特許文献２記載の技術においては、生理用ナプキンへの陰唇間パッドの固定に、陰唇間パッドに設けられた粘着剤を用いているため、前記（１）の装着手順では、生理用ナプキンへの陰唇間パッドの固定時に、陰唇間パッドが意図せず使用者の手や生理用ナプキンにおける所定位置以外の位置に付着することがあり、取り扱い性に優れていない。また、前記（２）の装着手順では、陰唇間パッドを陰唇間に挟んだ後、陰唇間パッドと生理用ナプキンとの相対位置をずらしたい場合に、陰唇間パッドと生理用ナプキンとを剥がす必要があり、取り扱い性に優れていない。
【０００８】
また、特許文献３記載の技術においては、生理用ナプキンが身体側に装着されることはなく、着用者の着用感・その股部への適合性の面から、凹面部の形状は上部ナプキンの形状に略合わせられており、凹面部が余分に形成されていない。
【０００９】
従って、本発明の目的は、吸収層及び防漏層を有し、小型吸収パッドと組み合わせて用いられる下層吸収パッドにおいて、装着時の取り扱い性に優れた下層吸収パッド、及び該下層吸収パッドと前記小型吸収パッドとからなる吸収性物品を提供することにある。
【課題を解決するための手段】
【００１０】
本発明は、吸収層及び防漏層を有し、小型吸収パッドと組み合わせて用いられる下層吸収パッドであって、前記吸収層の肌当接面側の平面方向中央部に、その周辺部よりも厚み方向に凹んだ、前記小型吸収パッドの載置用の載置用凹部が形成されており、前記載置用凹部は、平面視で、それに載置された前記小型吸収パッドを包含する形状を有しており、長手方向及び／又は幅方向に該小型吸収パッドの１．１倍以上大きくなされている下層吸収パッドを提供することにより前記目的を達成したものである。
【００１１】
また、本発明は、前記下層吸収パッドと前記小型吸収パッドとからなる吸収性物品を提供することにより前記目的を達成したものである。
【発明の効果】
【００１２】
本発明の下層吸収パッド及び吸収性物品によれば、装着時の取り扱い性に優れている。
【発明を実施するための最良の形態】
【００１３】
以下、本発明を、その好ましい実施形態に基づき図面を参照しながら説明する。本発明の第１実施形態の吸収性物品は、図１に示すように、下層吸収パッド１と、小型吸収パッド９とからなる。
まず、第１実施形態の下層吸収パッド１について説明する。第１実施形態の下層吸収パッド１は、図１〜図３に示すように、吸収層２及び防漏層６を有し、小型吸収パッド９と組み合わせて用いられるものである。
【００１４】
吸収層２の肌当接面２１側の平面方向中央部２２に、その周辺部２３よりも厚み方向に凹んだ、小型吸収パッド９の載置用の載置用凹部３が形成されている。平面方向中央部２２は、下層吸収パッド１（吸収層２）を平面視したときに、長手方向前後部からも幅方向両側部からも離間した領域であり、周辺部２３は、平面方向中央部２２を包囲する領域である。
周辺部２３の肌当接面２１側には、ギャザー等を設けることができ、周辺部２３の外側には、更にウイング部やギャザー等を設けることもできる（何れも図示せず）。
【００１５】
尚、「平面視」とは、吸収性物品を肌当接面側から非肌当接面側に向けて視ることを意味する。「長手方向」及び「幅方向」というときは、それぞれ「吸収性物品の長手方向」及び「吸収性物品の幅方向」を意味する。「上面」及び「下面」というときは、それぞれ「肌当接面（側の面）」及び「非肌当接面（側の面）」を意味する。
【００１６】
載置用凹部３は、平面視で、それに載置された小型吸収パッド９を包含する形状を有している。「小型吸収パッド９を包含する」とは、小型吸収パッド９が載置された載置用凹部３を平面視したときに、小型吸収パッド９の外周縁が載置用凹部３の外周縁よりも外側に位置しないことをいう。
【００１７】
載置用凹部３の平面視形状は、小型吸収パッド９を載置用凹部３内に収められることができると共に、長手方向及び／又は幅方向に小型吸収パッド９の１．１倍以上大きくなされていれば特に制限はないが、平面視で長手方向に長い小型吸収パッド９の形状に合わせて、平面視で幅方向よりも長手方向に長い形状を有していることが幅方向での吸収性を高めることができる点で好ましい。本実施形態においては、図２（ｂ）に示すように、載置用凹部３の長手方向前後部の形状は、それぞれ半円状であり、長手方向両側部の形状は、幅方向内方に凹んだ湾曲形状となっている。
【００１８】
載置用凹部３の幅Ｗ１は、載置用凹部３に対する小型吸収パッド９の載置位置の位置ズレを許容する観点（詳細は後述）から、平面視において、小型吸収パッド９の幅Ｗ２の好ましくは１．１倍以上であり、より好ましくは１．１〜１．８倍であり、更に好ましくは１．２〜１．５倍である。小型吸収パッド９の幅Ｗ２に対する載置用凹部３の幅Ｗ１の比（Ｗ１／Ｗ２）は、小型吸収パッド９が載置された載置用凹部３を平面視して該比（Ｗ１／Ｗ２）を測定した場合に、どの位置で測定しても、前記の範囲であればよい。
【００１９】
同様の観点から、載置用凹部３の長さＬ１は、平面視において、小型吸収パッド９の長さＬ２の好ましくは１．１倍以上であり、より好ましくは１．３〜２．３倍であり、更に好ましくは１．５〜２．０倍である。小型吸収パッド９の長さＬ２に対する載置用凹部３の長さＬ１の比（Ｌ１／Ｌ２）は、小型吸収パッド９が載置された載置用凹部３を平面視して該比（Ｌ１／Ｌ２）を測定した場合に、どの位置で測定しても、前記の範囲であればよい。
【００２０】
載置用凹部３の深さは、好ましくは１．０〜８．０ｍｍであり、更に好ましくは２．０〜５．０ｍｍである。また、図１（ｂ）に示すように、載置用凹部３の深さが小型吸収パッド９の周縁部の厚みよりも大きくなっていると、載置用凹部３に載置された小型吸収パッド９が載置用凹部３の側面３３を乗り越えてズレ難く、好ましい。載置用凹部３の深さは、小型吸収パッド９の周縁部の厚みよりも、１．０ｍｍ以上大きいことが好ましく、２．０ｍｍ以上大きくなっていることが更に好ましい。
載置用凹部３の側面３３の縦断面視形状は、鉛直方向に沿う直線状、傾斜した直線状、曲線状等にすることができる。
【００２１】
吸収層２は、図２（ｃ）に示すように、肌当接面２１を形成する液透過性の表面シート４と、表面シート４の非肌当接面側に配設された液保持性の吸収体５とを主体として構成されている。吸収体５は、図２（ｂ）及び（ｃ）に示すように、載置用凹部３を包囲する周状吸収体５１と周状吸収体５１の長手方向両側部それぞれに沿って配設された一対のサイド吸収体５２，５２とから形成されている。
【００２２】
周状吸収体５１の長手方向前後部は、長手方向外方に向けて凸の湾曲形状を有している。周状吸収体５１の長手方向両側部は、幅方向内方に向けて凹んだ湾曲形状を有している。サイド吸収体５２の長手方向内側部は、周状吸収体５１における湾曲形状の前記長手方向両側部の形状に対応して、幅方向内方に向けて凸の湾曲形状を有している。サイド吸収体５２の長手方向外側部は、直線状となっている。
【００２３】
従って、平面視において、吸収層２の長手方向前後部は、周状吸収体５１の長手方向前後部から形成されており、吸収層２の長手方向両側部は、サイド吸収体５２の長手方向外側部から形成されている。
また、吸収層２の平面方向中央部２２（載置用凹部３）は、表面シート４のみから形成されており、吸収層２の周辺部２３は、表面シート４及び吸収体５（周状吸収体５１、サイド吸収体５２）から形成されている。
【００２４】
表面シート４としては、当該技術分野において通常用いられている液透過性の材料を特に制限なく用いることができ、例えば、親水化処理が施された各種不織布を用いることができる。
【００２５】
本実施形態においては、表面シート４として、図４に示す凹凸シートを用いている。図４に示す凹凸シートは、上面側の第１繊維層４１と下面側の第２繊維層４２とからなり、第１繊維層４１と第２繊維層４２とが部分的に熱融着されて熱融着部（接合部）４３が形成されており、第１繊維層４１は、熱融着部４３以外の部位において、圧縮弾性を有する多数の凸部４４を形成している凹凸シートである。
【００２６】
このような凹凸シートは、繊維集合体からなる第１繊維層４１及び第２繊維層４２を、熱エンボスにより所定のパターンで部分的に熱融着させた後、第２繊維層４２を水平方向に熱収縮させて得られる。
【００２７】
より詳細に説明すると、熱エンボスによる熱融着は、例えば、多数のエンボスピンが規則的に配設されたエンボス面（エンボスロールの周面等）を、第１繊維層４１と第２繊維層４２との積層体の第１繊維層４１側に圧接させ、各ピンに熱圧された部位における、第１繊維層４１及び／又は第２繊維層４２の構成繊維を溶融させて行われる。第２繊維層４２の熱収縮は、例えば、第２繊維層４２を熱収縮性繊維から構成するか又は第２繊維層４２中に熱収縮性繊維を含ませておき、第１繊維層４１と第２繊維層４２とを熱融着させると同時、或いは両者を熱融着させた後に、第２繊維層４２を加熱処理することにより行われる。多数の凸部４４は、第２繊維層４２を水平方向に熱収縮させることにより、第１繊維層４１の熱融着部４３以外の部位が凸形に変形して生じたものである。
【００２８】
多数の熱融着部４３は、図４に示すように、散点状且つ千鳥状に規則的に形成されており、熱融着部４３同士間の距離はほぼ一定である。
各凸部４４は、それぞれドーム状をなしており、その内部は第１繊維層４１を構成する繊維で満たされている。また、各凸部４４が形成された部分における第１繊維層４１と第２繊維層４２との界面は接合されていないが密着した状態とされている。
【００２９】
第１繊維層４１の構成繊維は、実質的に熱収縮性を有しないか、又は後述する第２繊維層４２の構成繊維の熱収縮温度以下で熱収縮しないものであることが好ましい。
【００３０】
第２繊維層４２の構成繊維としては、熱可塑性ポリマー材料からなり且つ熱収縮性を有するものが好適である。また、該構成繊維は、収縮後にもエラストマー的挙動を示すものであることが好ましい。そのような繊維の例としては、潜在捲縮性繊維が挙げられる。第２繊維層４２中の潜在捲縮性繊維の含有割合は４０〜１００重量％であることが好ましい。潜在捲縮性繊維は、加熱される前は、従来の不織布用の繊維と同様に取り扱うことができ、且つ所定温度での加熱によって螺旋状の捲縮が発現して収縮する性質を有する繊維である。潜在捲縮性繊維を用いることで、熱収縮性とエラストマー的挙動の両者を同時に発現させることができる。
【００３１】
潜在捲縮性繊維は、例えば収縮率の異なる２種類の熱可塑性ポリマー材料を成分とする偏心芯鞘型又はサイド・バイ・サイド型の複合繊維からなる。その例としては、特開平９−２９４３２５号公報や特許第２７５９３３１号公報に記載のものが挙げられる。第２繊維層４２は、例えば、このような潜在捲縮性繊維を含ませておき、第１繊維層４１との熱融着と同時又はその後に、加熱により該繊維の捲縮を発現させ、収縮させる。
【００３２】
吸収体５（周状吸収体５１、サイド吸収体５２）としては、当該技術分野において通常用いられている液保持性の材料を特に制限なく用いることができる。例えば、フラッフパルプと高吸収性ポリマーとの積繊体や、高吸収性ポリマーを含んだ吸収紙、液保持性の嵩高な不織布からなるものを用いることができる。
【００３３】
防漏層６は、本実施形態においては裏面シート６１から形成されている。裏面シート６１としては、液不透過性又は撥水性の材料が用いられ、例えば、熱可塑性樹脂のフィルム、撥水性を有する不織布や、該フィルムと該不織布とのラミネートを用いることができる。裏面シート６１は、防漏性に加え、ムレ防止のため透湿性を有していることが好ましい。
【００３４】
本実施形態においては、図２（ｃ）に示すように、防漏層６の長手方向両側部は、サイド吸収体５２の外側縁部及び上部を被覆するように回り込んでおり、表面シート４との対向領域において、表面シート４の非肌当接面側と接合されている。表面シート４における吸収層２の平面方向中央部２２を形成する領域は、防漏層６に接合されている。
防漏層６の非肌当接面側には、下層吸収パッド１を使用者のショーツに固定するための粘着剤（図示せず）が設けられている。
【００３５】
次に、小型吸収パッド９について詳述する。本実施形態における小型吸収パッド９は、陰唇間に挟んで使用される陰唇間パッドである。小型吸収パッド９は、図５に示すように、吸収層９１及び防漏層９２の積層構造を有する小型パッド本体９３を主体として構成されている。小型パッド本体９３は、展開状態において略楕円形のシート状であり、その長軸を折り返し線として、肌当接面側が山となるように２つ折りされて構成されている。
【００３６】
吸収層９１は、所望の吸収性能を有していればその構成に制限はないが、薄さを重視するならば、例えば、下層吸収パッド１における表面シート４と同じシートから形成することができ、吸収容量を重視するならば、例えば、下層吸収パッド１における表面シート４と同じシートと吸収体５と同じ吸収体との積層体から形成することができる。
【００３７】
防漏層９２は、所望の防漏性能を有していればその構成に制限はないが、例えば、下層吸収パッド１における裏面シート６１と同じシートから形成することができる。
小型パッド本体９３の２つ折りの形態は、小型パッド本体９３の非肌当接面側における長手方向両側部間に架け渡された保形シート９４により維持されている。保形シート９４は、小型パッド本体９３における後方部〔図５（ｂ）における右側約１／３〕及び中央部（該後方部と後述する前方部との間の領域）に設けられており、小型パッド本体９３における前方部〔図５（ｂ）における左側約１／３〕には設けられていない。
【００３８】
小型パッド本体９３の非肌当接面側と保形シート９４との間には、指挿入空間９５が形成されている。小型吸収パッド９は、このような指挿入空間９５を有しているため、保形シート９４の設けられていない箇所から指を指挿入空間９５に挿入して小型吸収パッド９を支持し、その状態で小型吸収パッド９を陰唇間に挟みこんで装着することができる。
【００３９】
尚、小型パッド本体９３は、下層吸収パッド１の載置用凹部３に載置することができれば、その構成には特に制限はない。例えば、小型パッド本体９３は、防漏層９２を省略し、吸収層９１のみから形成することができる（図示せず）。
【００４０】
また、表面シートと吸収体との積層構造からなる吸収層９１において、幅方向中央部が肌当接面側に向かって隆起した吸収体を採用することにより、全体として幅方向中央部が肌当接面側に向かって隆起した形状を有する小型パッド本体９３を構成することができる。このように隆起した形状を有する小型パッド本体９３においては、保形シート９４がなくても小型パッド本体９３の保形性を確保することができるので、保形シート９４を省略することができる。
【００４１】
本実施形態の吸収性物品（下層吸収パッド１、小型吸収パッド９）は、例えば下記（１）の手順で装着される。
（１）小型吸収パッド９を、使用者の陰唇間に直接挟み込んで装着・保持する。また、下層吸収パッド１を、通常の生理用ナプキン等と同様にショーツの股下部に止着する。この状態下に、下層吸収パッド１が止着されたショーツを引き上げる。このようにして、吸収性物品全体としての装着状態が完成する。
【００４２】
このように装着された吸収性物品によれば、装着中に体液の排泄があった場合には、体液は主として小型吸収パッド９によって吸収される。下層吸収パッド１には、小型吸収パッド９によっては吸収されなかった体液や小型吸収パッド９から漏れた体液が吸収される。このように、小型吸収パッド９が主として体液を吸収することになるので、下層吸収パッド１は小型吸収パッド９に比較して体液で汚れにくい。従って、小型吸収パッド９の交換の度に下層吸収パッド１を交換する必要は必ずしもなく、小型吸収パッド９を何回か交換するごとに、下層吸収パッド１を１回交換すればよい。
【００４３】
以上の説明の通り、本実施形態の吸収性物品によれば、前記（１）の手順で装着する場合には、使用者の陰唇間に挟み込まれた小型吸収パッド９と、ショーツに固着されている下層吸収パッド１における載置用凹部３との間に若干の位置ズレがあったとしても、小型吸収パッド９は、載置用凹部３における位置がずれて適当な位置に配置されることになる。
【００４４】
このように、本実施形態の吸収性物品によれば、前記（１）の手順によって装着した場合においても、小型吸収パッド９は、下層吸収パッド１の載置用凹部３における適当な位置に配置されることになるので、装着時の取り扱いに優れている。
【００４５】
次に、本発明の別の実施形態について図面を参照しながら説明する。別の実施形態については、第１の実施形態と異なる点についてのみ説明し、特に説明しない点については、第１の実施形態に関して詳述した説明が適宜適用される。また、同じ構成部位については同じ符号を付し、説明を省略する。
【００４６】
第２実施形態の吸収性物品は、図６〜図８に示すように、第１実施形態の吸収性物品に比して、下層吸収パッド１における載置用凹部３の構成が異なり、その他の構成は同様である。具体的には、載置用凹部３の底面中央部３１は、底面周辺部３２よりも、吸収層２の肌当接面２１側の周辺部２３を超えない範囲で隆起し、中洲状凸部３４を形成している。
【００４７】
更に詳述すると、第２実施形態の下層吸収パッド１においては、図７（ｃ）に示すように、その吸収層２の周辺部２３は、第１実施形態の下層吸収パッド１における吸収層２の周辺部２３と同様の構成を有している。而して、吸収層２の平面方向中央部２２は、表面シート４の非肌当接面側に当接して中央吸収体５３が配設されている。換言すると、載置用凹部３においては、中央吸収体５３が、底面中央部３１における表面シート４と裏面シート６１との間に配設されている。
【００４８】
表面シート４は、中央吸収体５３の上面及び側面を被覆し、表面シート４と裏面シート６１との間で中央吸収体５３を挟持するように、裏面シート６１に多数のピン状のヒートシール部により接合されている。多数のヒートシール部は、図７に示すように、平面視で中央吸収体５３の外周部に近接して所定ピッチで設けられた内側ヒートシール部Ｓ１と、周状吸収体５１の内周部（内側ヒートシール部Ｓ１が設けられている箇所は除く）に近接して所定ピッチで設けられた外側ヒートシール部Ｓ２とからなる。
【００４９】
中洲状凸部３４の平面視形状は、載置用凹部３における中洲状凸部３４以外の領域である底面周辺部３２に、小型吸収パッド９が載置できる形状であれば特に制限はない。本実施形態においては、巨視的にみて載置用凹部３の平面視形状の相似形状となっている。
その他の構成については、第１実施形態の下層吸収パッド１と同様の構成を有している。
【００５０】
載置用凹部３に中洲状凸部３４を有する第２実施形態の吸収性物品（下層吸収パッド１）によれば、第１実施形態と同様の効果が奏される他、以下の効果が奏される。
小型吸収パッド９が、図５に示す形態のように、非肌当接面側が肌当接面側に向けて凹んだ形態の場合には、下層吸収パッド１の載置用凹部３に小型吸収パッド９を載置すると、小型吸収パッド９の非肌当接面側の凹みが載置用凹部３の中洲状凸部３４により幅方向の移動が規制されることになる。そのため、下層吸収パッド１に対する小型吸収パッド９の位置決めがなされ、位置ズレが生じ難い。このような効果は、前記（２）の装着方法（下層吸収パッド１の載置用凹部３に小型吸収パッド９を載置してから装着する方法）を用いる場合に特に好都合である。
【００５１】
また、載置用凹部３の内側に、中洲状凸部３４を形成する中央吸収体５３が配設されているため、載置用凹部３における小型吸収パッド９の載置容易性を確保しつつ、下層吸収パッド１における吸収容量を増大させることができる。
【００５２】
下層吸収パッド１は、前述の第１実施形態及び第２実施形態に、例えば、以下の構成を更に組み合わせて採用すると、好ましい。
【００５３】
第１の別の形態としては、図９に示すように、吸収層２の肌当接面２１側を形成する表面シートには、載置用凹部３の底面周辺部３２及び／又は側面３３を形成する領域に、通液用開孔３５を設けることができる。通液用開孔３５の形状、大きさ、数、形成位置等については適宜設定されるが、例えば、通液用開孔３５の大きさは、０．５〜７．０ｍｍ2が好ましい。通液用開孔３５を有する表面シートとしては、例えば、開孔フィルム、ネット状シートが挙げられる。
【００５４】
表面シートにおける底面周辺部３２及び／又は側面３３を形成する領域に通液用開孔３５が設けられていると、小型吸収パッド９から下層吸収パッド１の載置用凹部３に、小型吸収パッド９によって吸収されなかった体液や小型吸収パッド９から漏れた体液が流入したときに、通液用開孔３５を通じて吸収層２の吸収体に速やかに伝搬して吸収されることになる。尚、表面シートにおける底面周辺部３２及び／又は側面３３を形成する領域に通液用開孔３５を設けることが好ましいのは、図９（ｄ）に示すように、かかる領域が小型吸収パッド９によって吸収されなかった体液や小型吸収パッド９から漏れた体液が集まる位置だからである。また、通液用開孔３５は、平面視で、載置用凹部３に載置された小型吸収パッド９よりも外方に位置していることが好ましい。
【００５５】
また、使用者は、下層吸収パッド１の載置用凹部３から吸収層２の周辺部２３の肌当接面２１に体液が漏れ出すと下層吸収パッド１の交換を認識することが多いため、例えば載置用凹部３に流入した体液が吸収層２の吸収体にスムーズに吸収されないことに起因して、吸収層２の周辺部２３の肌当接面２１に体液が漏れ出すことは極力防止する必要がある。而して、通液用開孔３５が設けられていると、載置用凹部３に流入した体液が吸収層２の吸収体にスムーズに吸収されるため、このような問題が生じ難い。
【００５６】
また、第２の別の形態としては、下層吸収パッド１は、第１実施形態及び第２実施形態と同様に、吸収層２について、その肌当接面２１側を液透過性の表面シートから形成し、該表面シートの非肌当接面側に吸収体を配設させると共に、図１０に示すように、載置用凹部３の底面周辺部３２に、表面シートから吸収体に向けて凹む通液用凹み３６を形成することができる。
【００５７】
通液用凹み３６の形状、大きさ、深さ、数、形成位置等については適宜設定されるが、例えば、通液用凹み３６の大きさは、好ましくは０．５〜１２．０ｍｍ2であり、深さは、好ましくは０．３〜２．０ｍｍである。通液用凹み３６は、効果的には通液用開孔３５と同様のものであり、通液用開孔３５に関する前記記載（形成位置等）については、通液用凹み３６にも適宜適用される。尚、通液用凹み３６は、載置用凹部３の底面周辺部３２及び側面３３の両方に形成することができ、該側面３３のみに形成することもできる（図示せず）。
【００５８】
底面周辺部３２及び／又は側面３３に通液用凹み３６が設けられていると、図９に示す通液用開孔３５が設けられた形態と同様に、図１０（ｃ）に示すように、小型吸収パッド９によって吸収されなかった体液や小型吸収パッド９から漏れた体液が、通液用凹み３６を介して吸収層２の吸収体に速やかに伝搬して吸収されることになる。
【００５９】
また、第３の別の形態としては、下層吸収パッド１における吸収層２の周辺部２３は、図１１に示すように、内周部２３Ａの厚みと外周部２３Ｂの厚みとを異ならせることができる。詳細には、周辺部２３の内周部２３Ａは、載置用凹部３の深さを確保するため、厚くなっているが、周辺部２３の外周部２３Ｂは薄くなっている。吸収層２の周辺部２３の外周部２３Ｂを薄く構成すると、装着時に吸収層２の周辺部２３が使用者の肌に沿って変形し易く、下層吸収パッド１が使用者の肌に密着し易くなる。吸収層２の周辺部２３の厚みは、内周部２３Ａから外周部２３Ｂに向けて、図１１に示す形態のように段階的に薄くしてもよいが、漸減的に（滑らかに）薄くすることもできる（図示せず）。
【００６０】
以上、本発明をその好ましい実施形態に基づき説明したが、本発明は、前記実施形態に制限されず、適宜変更が可能である。
例えば、吸収層２の構成には特に制限はなく、前記実施形態においては、吸収層２の平面方向中央部２２は、表面シート４のみから形成されているが、表面シート４及び吸収体５の両方から形成することができる。前述した各形態における各構成を適宜組み合わせることができる。
小型吸収パッド９は、陰唇間パッドに制限されない。
【図面の簡単な説明】
【００６１】
【図１】図１は、本発明の吸収性物品の第１実施形態を示す図で、（ａ）は斜視図、（ｂ）は（ａ）に示すＢ−Ｂ断面模式図である。
【図２】図２は、図１に示す吸収性物品における下層吸収パッドを示す図で、（ａ）は斜視図、（ｂ）は平面図、（ｃ）は（ｂ）に示すＣ−Ｃ断面図である。
【図３】図３は、図２に示す下層吸収パッドを示す模式図で、（ａ）は平面図、（ｂ）は（ａ）に示すＢ−Ｂ断面図、（ｃ）は（ａ）に示すＣ−Ｃ断面図である。
【図４】図４は、図２に示す下層吸収パッドにおける表面シートを示す図で、（ａ）は斜視図、（ｂ）は（ａ）に示すＢ−Ｂ断面図である。
【図５】図５は、図１に示す吸収性物品における小型吸収パッドを示す図で、（ａ）は斜視図、（ｂ）は底面図、（ｃ）は（ｂ）に示すＣ−Ｃ断面図である。
【図６】図６は、本発明の吸収性物品の第２実施形態を示す図で、（ａ）は斜視図、（ｂ）は（ａ）に示すＢ−Ｂ断面模式図である。
【図７】図７は、図６に示す吸収性物品における下層吸収パッドを示す図で、（ａ）は斜視図、（ｂ）は平面図、（ｃ）は（ｂ）に示すＣ−Ｃ断面図である。
【図８】図８は、図７に示す下層吸収パッドを示す模式図で、（ａ）は平面図、（ｂ）は（ａ）に示すＢ−Ｂ断面図、（ｃ）は（ａ）に示すＣ−Ｃ断面図である。
【図９】図９は、第１の別の形態の下層吸収パッドを示す模式図で、（ａ）は平面図、（ｂ）は（ａ）に示すＢ−Ｂ断面図、（ｃ）は（ａ）に示すＣ−Ｃ断面図、（ｄ）は小型吸収パッドを載置した状態を示すＣ−Ｃ断面図である。
【図１０】図１０は、第２の別の形態の下層吸収パッドを示す模式図で、（ａ）は幅方向中央部を通る縦断面図〔図９（ｂ）対応図〕、（ｂ）は長手方向中央部を通る縦断面図〔図９（ｃ）対応図〕、（ｃ）は小型吸収パッドを載置した状態を示す縦断面図〔図９（ｄ）対応図〕である。
【図１１】図１１は、第３の別の形態の下層吸収パッドを示す模式図で、（ａ）は平面図、（ｂ）は（ａ）に示すＢ−Ｂ断面図、（ｃ）は（ａ）に示すＣ−Ｃ断面図である。
【符号の説明】
【００６２】
１  下層吸収パッド
２  吸収層
２１  肌当接面
２２  平面方向中央部
２３  周辺部
３  載置用凹部
３１  底面中央部
３２  底面周辺部
３３  側面
３４  中洲状凸部
３５  通液用開孔
３６  通液用凹み
４  表面シート
５  吸収体
５１  周状吸収体
５２  サイド吸収体
５３  中央吸収体
６  防漏層
６１  裏面シート
９  小型吸収パッド
９１  吸収層
９２  防漏層
９３  小型パッド本体
９４  保形シート
９５  指挿入空間
【図１】
0004393430.tif 000002
【図２】
0004393430.tif 000003
【図３】
0004393430.tif 000004
【図４】
0004393430.tif 000005
【図５】
0004393430.tif 000006
【図６】
0004393430.tif 000007
【図７】
0004393430.tif 000008
【図８】
0004393430.tif 000009
【図９】
0004393430.tif 000010
【図１０】
0004393430.tif 000011
【図１１】
0004393430.tif 000012